(57)【特許請求の範囲】
【請求項１】
居住者を呼び出すためのインターホン子機と、前記インターホン子機からの呼び出しに応答するためのインターホン親機と、前記インターホン子機に接続されるサブカメラとを有しており、前記インターホン子機側で撮像された映像が前記インターホン親機の表示部で表示されるインターホンシステムであって、
前記インターホン子機は、周囲を撮像するための子機カメラ、前記子機カメラ及び前記サブカメラが撮像した映像の映像サイズを変更するサイズ変更部、サイズ変更後の前記子機カメラ及び前記サブカメラの映像を合成する映像合成部、及び合成した映像を外部へ送信する送信部を備えており、
前記映像合成部で合成された映像の映像サイズが、前記サブカメラのない状態で前記インターホン子機から前記インターホン親機へ映像を送信する際の映像サイズと同じになるように、前記子機カメラ及び前記サブカメラにより撮像された映像の映像サイズを前記サイズ変更部で変更し、サイズ変更後の映像を前記映像合成部で合成し、合成後の映像を前記インターホン親機へ送信することを特徴とするインターホンシステム。
【発明の詳細な説明】
【技術分野】
【０００１】
本発明は、たとえば住戸の玄関等に設置されるインターホン子機と室内等に設置されるインターホン親機とを有するインターホンシステムに関するものである。
【背景技術】
【０００２】
従来周知のインターホンシステムでは、インターホン子機に来訪者を撮像するための子機カメラを備え、子機カメラで撮像された映像をインターホン親機へ送信し、インターホン親機のモニター等に表示させるようになっている（たとえば特許文献１）。また、近年、玄関を監視するための監視カメラ等の別のサブカメラを任意に複数設置し、各サブカメラで撮像された映像についてもインターホン親機のモニター等に表示させるようなインターホンシステムも考案されている。そして、そのようなインターホンシステムでは、サブカメラをインターホン親機に接続するという構成を採用したものが多い。また、サブカメラをインターホン子機に接続し、インターホン子機が、子機カメラ及びサブカメラの映像を時分割でインターホン親機へ送信し、インターホン親機が、時分割で送信されてきた映像を分離して再合成するという構成を採用したものもある。
【先行技術文献】
【特許文献】
【０００３】
【特許文献１】特開２００９−３３６６１号公報
【発明の概要】
【発明が解決しようとする課題】
【０００４】
しかしながら、サブカメラをインターホン親機に接続したものにおいては、玄関等に設置されるサブカメラと室内のインターホン親機とをケーブル等により夫々別個に接続する必要があり、配線作業等が非常に煩わしいという問題がある。
また、インターホン子機から時分割で映像をインターホン親機へ送信するものにおいては、従来周知のインターホン親機に、映像を分離したり再合成したりするための新たな機能を追加する必要があり、インターホンシステムが複雑になるという問題がある。
【０００５】
そこで、本発明は、上記問題に鑑みなされたものであって、インターホンシステムを構築するにあたって、配線作業等の手間を軽減することができるとともにシステムの複雑化を抑えることができるインターホンシステムを提供しようとするものである。
【課題を解決するための手段】
【０００６】
上記目的を達成するために、本発明は、居住者を呼び出すためのインターホン子機と、前記インターホン子機からの呼び出しに応答するためのインターホン親機と、前記インターホン子機に接続されるサブカメラとを有しており、前記インターホン子機側で撮像された映像が前記インターホン親機の表示部で表示されるインターホンシステムであって、
前記インターホン子機は、周囲を撮像するための子機カメラ、前記子機カメラ及び前記サブカメラが撮像した映像の映像サイズを変更するサイズ変更部、サイズ変更後の前記子機カメラ及び前記サブカメラの映像を合成する映像合成部、及び合成した映像を外部へ送信する送信部を備えており、前記映像合成部で合成された映像の映像サイズが、前記サブカメラのない状態で前記インターホン子機から前記インターホン親機へ映像を送信する際の映像サイズと同じになるように、前記子機カメラ及び前記サブカメラにより撮像された映像の映像サイズを前記サイズ変更部で変更し、サイズ変更後の映像を前記映像合成部で合成し、合成後の映像を前記インターホン親機へ送信することを特徴とする。
【０００７】
そして、本発明によれば、インターホン子機にサブカメラを接続しているため、配線作業等に係る手間を軽減することができる。また、インターホン子機で子機カメラの映像とサブカメラの映像とを合成してからインターホン親機へ送信するため、インターホンシステムを構築するにあたって、インターホン子機とインターホン親機との間の配線数を増やす必要がなく、配線作業等に係る手間の一層の軽減を図ることができるし、インターホン親機に映像を分離したり再合成したりするための新たな機能を追加する必要がない。さらに、インターホン子機において、映像合成部で合成された映像の映像サイズが、サブカメラのない状態でインターホン子機からインターホン親機へ映像を送信する際の映像サイズと同じになるように、子機カメラ及びサブカメラにより撮像された映像の映像サイズをサイズ変更部で変更するため、従来のインターホン親機をそのまま利用することができ、インターホンシステムの複雑化を抑えることができる。加えて、インターホン子機についても、サイズ変更部と映像合成部とを追加するだけで構成可能であり、インターホンシステムの複雑化を一層抑えることができる。
【発明の効果】
【０００８】
本発明によれば、インターホンシステムを構築するにあたって、インターホン親機とサブカメラとを接続しないし、インターホン子機とインターホン親機との間の配線数を増やす必要もないため、配線作業等に係る手間を軽減することができる。また、インターホン親機に映像を分離したり再合成したりするための新たな機能を追加する必要がなく、従来のインターホン親機をそのまま利用することができる上、インターホン子機についても、サイズ変更部と映像合成部とを追加するだけで構成可能であり、インターホンシステムの複雑化を抑えることができる。
【図面の簡単な説明】
【０００９】
【図１】インターホンシステムを示した説明図である。
【図２】インターホンシステムでの映像の処理制御に係るブロック構成図である。
【図３】インターホン子機での映像の合成を模式的に示した説明図である。
【発明を実施するための形態】
【００１０】
以下、本発明の一実施形態となるインターホン子機及びインターホンシステムについて、図面にもとづき詳細に説明する。
【００１１】
図１は、インターホンシステム１を示した説明図である。
インターホンシステム１は、玄関の壁面等に設置され居住者を呼び出すためのインターホン子機２と、室内等に設置されインターホン子機２からの呼び出しに応答するためのインターホン親機３と、玄関を監視する監視カメラ等といった複数のサブカメラ４ａ〜４ｃとを有してなる。インターホン子機２は、呼び出し操作した来訪者や自身が設置されている箇所の周囲等を撮像するための子機カメラ１１、通話のためのスピーカ部１２やマイク部１３、及び来訪者が居住者を呼び出す際に操作する呼び出しボタン１４等を備えている。また、インターホン子機２には、サブカメラ４ａ〜４ｃが接続されている。
【００１２】
一方、インターホン親機３は、従来周知のインターホン親機であって、インターホン子機２から受信した映像を表示するためのモニター２１ａを有する表示部２１と、インターホン子機２との間で通話するための通話部２２とを備えている。なお、インターホン親機３のモニター２１ａは、タッチパネル式の操作画面となっており、インターホン子機２からの呼び出しに応答する際等に居住者が操作する操作部として機能する。
【００１３】
そして、このようなインターホンシステム１では、来訪者によって呼出ボタン１４が操作されると、インターホン子機２が、インターホン親機３を呼び出すとともに子機カメラ１１及びサブカメラ４ａ〜４ｃを作動させて来訪者を撮像する。そして、インターホン子機２が、その映像をインターホン親機３へ送り、インターホン親機３が、受信した映像をモニター２１ａに表示する。また、呼び出しに応じてインターホン親機３で応答操作がなされると、インターホン子機２とインターホン親機３との間で通話が可能となる。
【００１４】
ここで、本発明の要部となる上記インターホンシステム１での映像処理について、図２及び図３をもとに詳細に説明する。
図２は、インターホンシステム１での映像の処理制御に係るブロック構成図である。図３は、インターホン子機２での映像の合成を模式的に示した説明図である。
【００１５】
インターホン子機２は、子機カメラ１１及びサブカメラ４ａ〜４ｃが撮像した映像の映像サイズを変更するスケーラー１５、１５・・、子機カメラ１１及びサブカメラ４ａ〜４ｃが撮像した映像を合成する映像合成回路１６、合成した映像をインターホン親機３へ送信するための変調回路１７、及びインターホン子機２をインターホン親機３と接続するためのドアホンＩ／Ｆ１８を備えている。スケーラー１５は、各カメラ１１、４ａ〜４ｃ毎に設けられており、各カメラ１１、４ａ〜４ｃで撮像された映像は、対応するスケーラー１５に入力され、各スケーラー１５でその映像サイズを所定のサイズに変更された後、映像合成回路１６に入力されることになる。そして、このスケーラー１５、１５・・での映像サイズの変更にあたっては、合成後の映像サイズと、サブカメラ４ａ〜４ｃのない従来同様の状態においてインターホン子機２からインターホン親機３へ映像を送信する際の映像サイズ（従来の映像サイズと称す）とが同じサイズとなるように、各映像の映像サイズを変更する。
【００１６】
たとえば、図３に示す例では、子機カメラ１１に対応するスケーラー１５は、子機カメラ１１が撮像した映像の映像サイズを、従来の映像サイズの２／３とする。また、各サブカメラ４ａ〜４ｃに対応するスケーラー１５は、各サブカメラ４ａ〜４ｃが撮像した映像の映像サイズを、それぞれ従来の映像サイズの１／９とする。したがって、映像合成回路１６で、それらの映像を合成した際の映像サイズは、従来の映像サイズと同じサイズになる。なお、各スケーラー１５で映像サイズをどのように変更するかについては、サブカメラ４ａ〜４ｃの接続時に予め設定しておく。また、変調回路１７及びドアホンＩ／Ｆ１８に関しては、従来同様のものを用いればよい。
【００１７】
一方、インターホン親機３は、映像処理に係る構成に関しても従来周知の構成が採用されたものであって、インターホン親機３をインターホン子機２と接続するためのドアホンＩ／Ｆ２３、変調されている映像を復調するための復調回路２４、及びモニター２１ａの動作を制御するコントローラ２５を備えている。
【００１８】
したがって、インターホンシステム１では、子機カメラ１１及びサブカメラ４ａ〜４ｃが撮像した映像は、各カメラ１１、４ａ〜４ｃに対応するスケーラー１５、１５・・で夫々映像サイズを変更された後、映像合成回路１６で合成され、変調回路１７及びドアホンＩ／Ｆ１８を介してインターホン親機３へ送信される。そして、ドアホンＩ／Ｆ２３を介してインターホン親機３に受信された映像は、復調回路２４で復調された後、コントローラ２５による制御のもと、モニター２１ａに表示されることになる。
【００１９】
以上のような構成を有するインターホンシステム１によれば、サブカメラ４ａ〜４ｃをインターホン子機２に接続するとともに、インターホン子機２に、子機カメラ１１及びサブカメラ４ａ〜４ｃが撮像した映像の映像サイズを変更するスケーラー１５、１５・・と、スケーラー１５、１５・・によりサイズが変更された後の映像を合成する映像合成回路１６と、映像合成回路１６で合成された映像をインターホン親機３へ送信する変調回路１７及びドアホンＩ／Ｆ１８とを備え、インターホン子機２において、子機カメラ１１及びサブカメラ４ａ〜４ｃにより撮像された映像の映像サイズを、合成後の映像サイズと従来の映像サイズとが同じサイズとなるように、スケーラー１５、１５・・で変更し、サイズ変更後の映像を映像合成回路１６で合成し、合成後の映像をインターホン親機３へ送信するようにしている。
【００２０】
したがって、サブカメラ４ａ〜４ｃをインターホン親機３に接続していた従来と比べると、インターホン親機３よりも近くに設置されるインターホン子機２にサブカメラ４ａ〜４ｃを接続しているため、配線作業等に係る手間を軽減することができる。また、インターホン子機２で子機カメラ１１の映像とサブカメラ４ａ〜４ｃの映像とを合成してからインターホン親機３へ送信するため、インターホン子機２とインターホン親機３との間の配線数を増やす必要がなく、配線作業等に係る手間の一層の軽減を図ることができるし、インターホン親機３に映像を分離したり再合成したりするための新たな機能を追加する必要がない。
【００２１】
さらに、子機カメラ１１及びサブカメラ４ａ〜４ｃにより撮像された映像の映像サイズを、合成後の映像サイズと従来の映像サイズとが同じサイズとなるように、スケーラー１５、１５・・で変更するため、従来のインターホン親機をそのまま利用することができ、インターホンシステムの複雑化を抑えることができる。加えて、インターホン子機２についても、スケーラー１５、１５・・と映像合成回路１６とを付加するだけで構成可能であり、インターホンシステムの複雑化を一層抑えることができる。
【００２２】
なお、本発明に係るインターホン子機及びインターホンシステムは、上記実施形態の態様に何ら限定されるものではなく、インターホン子機やインターホンシステムの全体的な構成は勿論、映像処理に係る構成についても、本発明の趣旨を逸脱しない範囲で、必要に応じて適宜変更することができる。
【００２３】
たとえば、各スケーラー１５での映像サイズの変更度合いを、インターホン親機からの操作に応じて調整可能に構成することも可能である。
また、どの映像の映像サイズをどれくらいに変更するかといった点や、どのように合成するかについても図３に示すような態様に何ら限定されることはなく、必要に応じて適宜設定変更可能であることは言うまでもない。
【符号の説明】
【００２４】
１・・インターホンシステム、２・・インターホン子機、３・・インターホン親機、４ａ、４ｂ、４ｃ・・サブカメラ、１１・・子機カメラ、１５・・スケーラー（サイズ変更部）、１６・・映像合成回路（映像合成部）、１７・・変調回路（送信部）、１８・・ドアホンＩ／Ｆ（送信部）、２１・・表示部、２１ａ・・モニター（表示部）。
【図１】
0006426035.tif 000002
【図２】
0006426035.tif 000003
【図３】
0006426035.tif 000004